【手続補正書】
【提出日】平成20年5月14日(2008.5.14)
【手続補正１】
【補正対象書類名】明細書
【補正対象項目名】請求項１
【補正方法】変更
【補正の内容】
【請求項１】
広告システムの運営会社が情報内容を提供するサーバーコンピュータによってインターネットを介して広告を行う方法であって、
（１）  前記サーバーコンピュータは、ユーザーのクライアントコンピュータからの要求に応答して該クライアントコンピュータに、広告システムに協賛するスポンサー企業の一覧情報を含むｗｅｂページデータを送信し、
（２）  前記サーバーコンピュータは、前記スポンサー企業の一覧の中からユーザーが選択したスポンサー企業に対してユーザーがユーザー登録を行うことを選択したとき、又は、スポンサー企業が情報内容を提供するｗｅｂページにおいてそのスポンサー企業に対してユーザーがユーザー登録を行うことを選択したときに、ユーザー登録を行うための情報を含むｗｅｂページデータを該ユーザーのクライアントコンピュータに送信し、
（３）  前記サーバーコンピュータは、ユーザーのクライアントコンピュータからの要求に応答して該クライアントコンピュータに、広告システムに協賛するスポンサー企業がユーザーに提供する広告カードについてのカード登録を行うための情報を含むｗｅｂページデータを送信し、
（４）  前記サーバーコンピュータは、ユーザーのクライアントコンピュータからの要求に応答して該クライアントコンピュータに、前記スポンサー企業のうちの１又は２以上のスポンサー企業が提供するｗｅｂページへのリンク情報を含むｗｅｂページデータを送信し、
（５）  ユーザ登録を行うための情報を含む前記ｗｅｂページには、ユーザーの氏名、住所及びパスワードを含むユーザー識別情報を入力する欄と、該ユーザー識別情報入力欄に入力されたユーザー識別情報をサーバーコンピュータに送信することを承認するための送信承認ボタンを設け、
（６）  カード登録を行うための情報を含む前記ｗｅｂページには、前記広告カードに記載されたカードナンバーを入力するための欄を設け、
（７）  該広告カードにはスポンサー企業の広告部分とデザイン部分を設け、該広告カードの広告部分及びデザイン部分のいずれにも前記カードナンバーを記載しておき、該カードナンバーにはこのカードナンバーが記載されている広告カードを提供したスポンサー企業の識別コード、該スポンサー企業の店舗の識別コード及びデザイン部分の絵柄の識別コードを含ませ、
（８）  前記サーバーコンピュータは、ユーザーのクライアントコンピュータにおいて前記ユーザー識別情報が入力され、前記送信承認ボタンが押されることによって少なくとも氏名、住所及びパスワードを含むユーザー識別情報が送信されてきたときには、少なくとも氏名、住所及びパスワードを含むユーザー識別情報を相互に関連付けて記憶装置に記憶し、
（９）  前記サーバーコンピュータは、ユーザーのクライアントコンピュータにおいて前記カードナンバーが入力され、該カードナンバーが送信されてきたときには、該カードナンバーを該カードナンバーを送信したユーザーの識別情報又は（及び）該カードナンバーが記載されていた広告カードを提供したスポンサー企業に関連付けて記憶装置に記憶する広告方法。
【手続補正２】
【補正対象書類名】明細書
【補正対象項目名】００１２
【補正方法】変更
【補正の内容】
【００１２】
【課題を解決するための手段】
［１］  前記課題を解決するために本発明は、
広告システムの運営会社が情報内容を提供するサーバーコンピュータによってインターネットを介して広告を行う方法であって、
（１）  前記サーバーコンピュータは、ユーザーのクライアントコンピュータからの要求に応答して該クライアントコンピュータに、広告システムに協賛するスポンサー企業の一覧情報を含むｗｅｂページデータを送信し、
（２）  前記サーバーコンピュータは、前記スポンサー企業の一覧の中からユーザーが選択したスポンサー企業に対してユーザーがユーザー登録を行うことを選択したとき、又は、スポンサー企業が情報内容を提供するｗｅｂページにおいてそのスポンサー企業に対してユーザーがユーザー登録を行うことを選択したときに、ユーザー登録を行うための情報を含むｗｅｂページデータを該ユーザーのクライアントコンピュータに送信し、
（３）  前記サーバーコンピュータは、ユーザーのクライアントコンピュータからの要求に応答して該クライアントコンピュータに、広告システムに協賛するスポンサー企業がユーザーに提供する広告カードについてのカード登録を行うための情報を含むｗｅｂページデータを送信し、
（４）  前記サーバーコンピュータは、ユーザーのクライアントコンピュータからの要求に応答して該クライアントコンピュータに、前記スポンサー企業のうちの１又は２以上のスポンサー企業が提供するｗｅｂページへのリンク情報を含むｗｅｂページデータを送信し、
（５）  ユーザ登録を行うための情報を含む前記ｗｅｂページには、ユーザーの氏名、住所及びパスワードを含むユーザー識別情報を入力する欄と、該ユーザー識別情報入力欄に入力されたユーザー識別情報をサーバーコンピュータに送信することを承認するための送信承認ボタンを設け、
（６）  カード登録を行うための情報を含む前記ｗｅｂページには、前記広告カードに記載されたカードナンバーを入力するための欄を設け、
（７）  該広告カードにはスポンサー企業の広告部分とデザイン部分を設け、該広告カードの広告部分及びデザイン部分のいずれにも前記カードナンバーを記載しておき、該カードナンバーにはこのカードナンバーが記載されている広告カードを提供したスポンサー企業の識別コード、該スポンサー企業の店舗の識別コード及びデザイン部分の絵柄の識別コードを含ませ、
（８）  前記サーバーコンピュータは、ユーザーのクライアントコンピュータにおいて前記ユーザー識別情報が入力され、前記送信承認ボタンが押されることによって少なくとも氏名、住所及びパスワードを含むユーザー識別情報が送信されてきたときには、少なくとも氏名、住所及びパスワードを含むユーザー識別情報を相互に関連付けて記憶装置に記憶し、
（９）  前記サーバーコンピュータは、ユーザーのクライアントコンピュータにおいて前記カードナンバーが入力され、該カードナンバーが送信されてきたときには、該カードナンバーを該カードナンバーを送信したユーザーの識別情報又は（及び）該カードナンバーが記載されていた広告カードを提供したスポンサー企業に関連付けて記憶装置に記憶する広告方法を提供する。
［１−１］  本発明に係る広告方法は、本発明に係る広告システムの一部であり、特に該広告システムにおいてコンピュータを利用して広告を行う部分である。本発明に係る広告システム、広告方法においては、ユーザー（消費者）に対して宣伝広告を行う。ユーザー（消費者）は、例えば、本発明に係る広告システム、広告方法を利用する者であり、該広告システムに協賛するスポンサー企業が販売する商品、サービスの購買者となる可能性のある者である。
【手続補正３】
【補正対象書類名】明細書
【補正対象項目名】０１０６
【補正方法】変更
【補正の内容】
【０１０６】
本発明の一実施形態に係る広告方法において利用されるコンピュータ（コンピュータシステム）の概略構成を図１に示す。
【手続補正４】
【補正対象書類名】明細書
【補正対象項目名】０１０７
【補正方法】変更
【補正の内容】
【０１０７】
この広告方法においては、広告システム運営会社のサーバーコンピュータＣ０ｃからインターネットを介して一般消費者（ユーザー）のクライアントコンピュータＣＵｃに広告情報等を含むｗｅｂページデータを送信するなどして、宣伝広告を行う。
【手続補正５】
【補正対象書類名】明細書
【補正対象項目名】０１１０
【補正方法】変更
【補正の内容】
【０１１０】
例えば、本発明に係る広告システムに協賛するスポンサー企業が情報内容を提供するｗｅｂページ（スポンサー企業のｗｅｂページ）の宣伝広告を行う。本発明に係る広告システムに協賛するスポンサー企業は、１又は２以上のｗｅｂページからなるｗｅｂサイトを持っている。なお、全ての協賛スポンサー企業がｗｅｂサイトを持っていなくてもよい。スポンサー企業Ａ社、Ｂ社、Ｃ社のｗｅｂページデータは、それぞれサーバーコンピュータＣＡｃ、ＣＢｃ、ＣＣｃから、インターネットを介してユーザーのクライアントコンピュータＣＵｃに送信される。
【手続補正６】
【補正対象書類名】明細書
【補正対象項目名】０１１１
【補正方法】変更
【補正の内容】
【０１１１】
本発明に係るこの実施形態の広告方法は、スポンサー企業のｗｅｂページ、ｗｅｂサイトの宣伝広告を行い、そのｗｅｂページにユーザーを誘導すること、すなわち、そのｗｅｂページにユーザーにアクセスしてもらい、そのｗｅｂページに記載されている情報をユーザーに見てもらうことを一つの目的としている。スポンサー企業は、自社のｗｅｂページ等を広告システム運営会社（広告会社）に依頼して宣伝してもらう。
【手続補正７】
【補正対象書類名】明細書
【補正対象項目名】０１１３
【補正方法】変更
【補正の内容】
【０１１３】
それには限定されないが例えばスターカード（System of Total Ad Relation Card）とか、スターランドカードと呼ぶ、広告カードを宣伝広告のキーアイテムの一つして利用する。以降の説明では、広告システムをスターカードシステムということがある。また、広告カードをスターカードと呼ぶことがある。なお、スターカードシステムは例えばスターランドシステムと、スターカードは例えばスターランドカードと呼び代えてもよい。
【手続補正８】
【補正対象書類名】明細書
【補正対象項目名】０１１６
【補正方法】変更
【補正の内容】
【０１１６】
図２にスターカードの一例を示す。図２中、（Ａ）、（Ｂ）はそれぞれスターカードを表側、裏側から見た図である。
【手続補正９】
【補正対象書類名】明細書
【補正対象項目名】０１２４
【補正方法】変更
【補正の内容】
【０１２４】
スターカードの他の例を図３に示す。
【手続補正１０】
【補正対象書類名】明細書
【補正対象項目名】０１２６
【補正方法】変更
【補正の内容】
【０１２６】
以下、ユーザーのクライアントコンピュータシステム上において表示されるｗｅｂページの画面や、サーバーコンピュータシステム及びクライアントコンピュータシステムが行う動作を示す図１８〜図２１のフローチャートを参照しながら、本発明の実施形態に係る広告方法について説明する。なお、図１８〜図２１のフローチャートにおいては、サーバコンピュータやクライアントコンピュータが行う動作の一部は図示が省略されている。
【手続補正１１】
【補正対象書類名】明細書
【補正対象項目名】０１３２
【補正方法】変更
【補正の内容】
【０１３２】
広告システム（スターカードシステム）をよく知らない、或いは、詳しく知りたいユーザーが、例えば、広告システムの説明情報を含むｗｅｂページＰ２にリンクするボタンｂ１１をクリックすると、ｗｅｂページＰ２のデータがユーザーのクライアントコンピュータＣＵｃにサーバーコンピュータＣ０ｃから送信される。さらに詳しく言うと、ボタンｂ１１をユーザーがマウスＣＵｍ等を使ってクリックすると、広告システムの説明情報を含むｗｅｂページＰ２のデータを送信せよという要求が、広告システム運営会社のサーバーコンピュータＣ０ｃに送信される。サーバーコンピュータＣ０ｃは、その要求に応答して、ｗｅｂページＰ２のデータをクライアントコンピュータＣＵｃに送信する。これにより、ユーザーはクライアントコンピュータシステムのディスプレイＣＵｄ上においてｗｅｂページＰ２を見ることができる。
【手続補正１２】
【補正対象書類名】明細書
【補正対象項目名】０１７３
【補正方法】変更
【補正の内容】
【０１７３】
広告システム運営会社は、このようにネットスターカードのダウンロードが行われたときには、そのネットスターカードをユーザーに提供するスポンサー企業に対して課金を行う。ユーザーのクライアントコンピュータＣＵｃへネットスターカードの電子ファイルを送信するのは、前述のように、スポンサー企業のサーバーコンピュータではなく、広告システム運営会社のサーバーコンピュータＣ０ｃであるので、その送信等の対価として広告システム運営会社はスポンサー企業に対して課金を行う。このような課金の管理も広告システム運営会社のサーバーコンピュータＣ０ｃが行う。広告システム運営会社のサーバーコンピュータＣ０ｃは、ユーザーのクライアントコンピュータＣＵｃにネットスターカードの電子データを送信したときには、そのネットスターカードの電子ファイルをユーザーに提供するスポンサー企業に対して、所定金額の課金を行う旨記憶装置Ｃ０ｓに記録する（＃４０５）。広告システム運営会社は、記憶装置Ｃ０ｓに記録された課金情報に基づき、スポンサー企業に対して費用の請求を行う。
［７］抽選
広告システムにおいては、前述のようにして、カード登録を行ったユーザーに対しては、広告システム運営会社から特典を得る権利が与えられる。また、カード登録の対象となったスポンサー企業が、カード登録を行ったユーザーに対して特典を得る権利を与えることとしている場合には、そのスポンサー企業からもカード登録を行ったユーザーに対して特典を得る権利が与えられる。なお、前述のように、カード登録を行ったユーザーは、その登録の対象となったスポンサー企業に対してユーザー登録も行っている。
【手続補正１３】
【補正対象書類名】明細書
【補正対象項目名】０１８２
【補正方法】変更
【補正の内容】
【０１８２】
抽選による特典の当選者の情報は、広告システム運営会社のｗｅｂページにおいて見ることができる。図５のトップｗｅｂページＰ１には、抽選による当選者の情報を含むｗｅｂページにリンクするボタンｂ１５が設けられており、このボタンｂ１５がクリックされると、当選者情報を含むｗｅｂページ（図示省略）のデータがクライアントコンピュータに送信される。
［８］ポイント制度
次の所定の行為を行ったユーザーに対しては、その行為に応じたポイントが与えられる。
【手続補正１４】
【補正対象書類名】明細書
【補正対象項目名】０１９８
【補正方法】変更
【補正の内容】
【０１９８】
本例では、次の費用に対する支払いは次のように減額される。ユーザー登録によってスポンサー企業に対して課金される金額に所定の料率を乗じた金額が減額される。なお、料率は、０％よりも大きく、１００％以下である。また、ネットスターカードのダウンロードに対して課金される金額に所定の料率を乗じた金額が減額される。さらに、スターカードの購入金額に所定の料率を乗じた金額も減額される。
［１０］  以上説明した広告システム、広告方法によると、次のようにしてユーザー（消費者）をスポンサー企業のｗｅｂページに誘導することができるとともに、スポンサー企業の実店舗にも誘導することができる。
【手続補正１５】
【補正対象書類名】明細書
【補正対象項目名】０２１１
【補正方法】変更
【補正の内容】
【０２１１】
以上説明した広告システム、広告方法においては、スポンサー企業、ユーザー（消費者）及び広告システム運営会社のいずれにも次のような利益、利点がある。
【手続補正１６】
【補正対象書類名】明細書
【補正対象項目名】図１
【補正方法】変更
【補正の内容】
【図１】
本発明の一実施形態に係る広告方法において利用するコンピュータの接続関係等を示す概略構成図である。
【手続補正１７】
【補正対象書類名】明細書
【補正対象項目名】図２
【補正方法】変更
【補正の内容】
【図２】
広告カード（スターカード）の一例を示す図であり、（Ａ）は広告カード（スターカード）の該一例を表側から見た図であり、（Ｂ）は該広告カードを裏側から見た図である。
【手続補正１８】
【補正対象書類名】明細書
【補正対象項目名】図３
【補正方法】変更
【補正の内容】
【図３】
広告カード（スターカード）の他の例を示す図であり、（Ａ）は広告カード（スターカード）の該他の例を表側から見た図であり、（Ｂ）は該広告カードを裏側から見た図である。